【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
放送コンテンツをみる視聴者に特典を与えるための受信ユニットであって：
前記受信ユニットがサーバと通信することを可能にするネットワーク接続であって、前記サーバは前記視聴者からイベントへの応答を受信し、前記応答へのポイント値を割り当て、且つ特典と引き換えることが可能であるポイント総数を得るためにもしあれば前のポイント値に前記ポイント値を累算するために機能することを可能にする、ネットワーク接続；
前記放送に含まれる信号に対応する第１ソフトウェアプログラムであって、前記イベントへの応答が受け取られることが可能である時間の初めを前記信号が示す、第１ソフトウェアプログラム；
前記応答を記憶する第２プログラム；並びに
前記サーバに前記応答を転送する第３プログラム；
から構成されることを特徴とする受信ユニット。
【請求項２】
前記受信ユニットに送信される放送コンテンツにおける特定放送コンテンツイベントをみて応答することに対応して視聴者にポイントを与えるための受信ユニットであって：
前記特定イベントへの視聴者の応答が前記ポイントを与えられる前記放送コンテンツにおける前記特定イベントを確認する前記サーバからの説明を受信するために前記受信ユニットがサーバと通信可能であるネットワーク接続；並びに
前記放送に含まれる捕捉ウィンドウ信号に応答するプログラムであって、前記捕捉ウィンドウ信号は、前記特定イベントへの前記視聴者の応答が受信されることが可能である時間の初め及び前記与えられるポイントを示す、プログラム；
から構成されることを特徴とする受信ユニット。
【請求項３】
請求項１又は請求項２に記載の受信ユニットであって：
前記サーバへの前記応答の転送の前に所定数の応答を集めるソフトウェアルーチン；
から更に構成される、ことを特徴とする受信ユニット。
【請求項４】
請求項１又は請求項２に記載の受信ユニットであって：
所定時間に前記サーバへの前記応答を転送するソフトウェアルーチン；
から更に構成される、ことを特徴とする受信ユニット。
【請求項５】
請求項１又は請求項２に記載の受信ユニットであって：
送信信号が前記放送コンテンツに表示されるとき、前記サーバへの前記応答を転送するソフトウェアルーチン；
から更に構成される、ことを特徴とする受信ユニット。
【請求項６】
放送コンテンツをみる視聴者に特典を与えるための受信ユニットであって：
前記受信ユニットがサーバと通信することを可能にするネットワーク接続であって、前記サーバは、前記視聴者からイベントへの応答を受信し、前記応答へのポイント値を割り当て、且つ特典と引き換えることが可能であるポイント総数を得るためにもしあれば前のポイント値に前記ポイント値を累算するために機能する、ネットワーク接続；
前記放送コンテンツに含まれるイベントの画像表示を含むボタンを表示する第１ソフトウェアプログラム；
前記視聴者が前記ボタンをアクティブにするとき、前記視聴者からの入力を受信する第２プログラムであって、前記第２プログラムは応答情報を得るために前記ボタンに前記入力を結びつける、第２プログラム；並びに
前記サーバに前記応答情報を転送する第３プログラム；
から構成されることを特徴とする受信ユニット。
【請求項７】
前記受信ユニットに送信される特定放送コンテンツイベントをみて応答することに対応して視聴者にポイントを与えるための受信ユニットであって：
前記受信ユニットがサーバと通信することを可能にするネットワーク接続；
前記放送コンテンツに含まれる前記特定放送コンテンツイベントの画像表示を含むボタンを表示する前記受信ユニットにおいて機能する第１プログラム；
視聴者が前記特定放送コンテンツイベントへの応答において前記ボタンをアクティブにするとき、前記視聴者からの入力を受信する第２プログラムであって、第２プログラムは応答情報を得るために前記ボタンと前記入力を結び付ける、第２プログラム；並びに
前記サーバに前記応答情報を転送する第３プログラム；
から構成されることを特徴とする受信ユニット。
【請求項８】
請求項１、２、６又は請求項７の何れかに記載の受信ユニットであって、前記受信ユニットは、セットトップボックス、パーソナルコンピュータ又は双方向テレビの何れか１つである、ことを特徴とする受信ユニット。
【請求項９】
放送コンテンツをみる視聴者に特典を与える方法であって：
前記放送コンテンツに含まれる特定イベントに応答することにより特典が得られることが可能であることについて視聴者に情報を与える段階；
前記特定イベントを確認する段階；
前記視聴者が前記イベントへの応答を入力することが可能であるインタフェースを与える段階；
前記応答を受信する段階；
前記応答にポイント値を割り当てる段階；
ポイント総数を得るためにもしあれば前記視聴者からの前の応答と関連付けられる前のポイント値に前記ポイント値を累算する段階；並びに
前記ポイント総数が所定数のポイントに等しいか又はそれ以上であるとき、前記ポイントの償還を与える段階；
から構成されることを特徴とする方法。
【請求項１０】
特定放送コンテンツイベントをみて応答することに対応して視聴者に特典を与えるシステムであって：
前記特定放送コンテンツイベントへの視聴者の応答がポイントを得る前記放送コンテンツにおける前記特定放送コンテンツイベントを表示するエンハンスメントを与えるサーバ；
前記特定放送コンテンツイベントを確認する前記エンハンスメントをレンダリングし且つ前記特定放送コンテンツイベントへの前記応答を受け入れる受信ユニット；
前記受信ユニットから前記サーバに前記視聴者の応答を通信するネットワーク接続；
前記視聴者の応答を受信し且つ前記視聴者の応答にポイント値を割り当てる第１プログラム；並びに
もしあれば前のポイント値に前記ポイント値を累算し、累算された結果を記憶し、且つ前記累算された結果が所定数のポイントに等しいか又はその数より大きいとき、前記特典のための前記ポイントの償還を与える第２プログラム；
から構成されることを特徴とするシステム。
【請求項１１】
放送コンテンツをみる視聴者に特典を与える方法であって：
前記放送コンテンツをレンダリングする段階；
前記放送コンテンツと関連して特典表示をレンダリングする段階；
前記表示への視聴者の応答を受信し且つカウントを作成する段階；
カウント総数を得るためにもしあれば前のカウントに前記カウントを累算する段階；
前記カウント総数が所定の値に等しいか又はその数より大きいとき、特典を与える段階；
から構成されることを特徴とする方法。
【請求項１２】
特定放送コンテンツイベントをみて応答することに対応して視聴者に特典を与える方法であって：
受信ユニットに放送コンテンツを送信する段階；
前記放送コンテンツをレンダリングする段階；
前記特定放送コンテンツイベントがポイントを与えられる特定放送コンテンツイベントを示す前記放送コンテンツに関連する特典表示をレンダリングする段階；
サーバに前記受信ユニットから前記特定放送コンテンツイベントに前記視聴者の応答を送信する段階；
前記サーバにおいて前記受信ユニットから前記［表示］特定放送コンテンツイベントへの前記視聴者の応答を受信し、且つ［カウントを作成する］前記視聴者にポイントを与える段階；
ポイント総数を作成するためにもしあれば前のポイントに前記ポイントを累算する段階；並びに
前記ポイント総数が所定の値に等しいかその値より大きいとき、前記視聴者に前記特典を与える段階；
から構成されることを特徴とする方法。
【請求項１３】
放送コンテンツをみる視聴者に特典を与えるシステムであって：
前記視聴者の応答がポイントを与えられることができる前記放送コンテンツに含まれるイベントへの視聴者からの応答を受信するサーバ；
前記視聴者から前記応答を通信するネットワーク接続；
前記応答を受信し且つ前記応答にポイント値を割り当てる第１ソフトウェアプログラム；
もしあれば前のポイント値に前記ポイント値を累算し且つ累算された結果を記憶する第２ソフトウェアプログラム；
から構成されることを特徴とするシステム。
【請求項１４】
放送コンテンツに結び付けられるイベントへの視聴者の応答についてポイントの特典化を実施するシステムであって：
キャンペーン名、放送日及び前記放送コンテンツのビデオソースを指定するキャンペーン作成ツール；
視聴者の応答が受け入れられる間に前記放送コンテンツに関連して生じるイベントに結び付けられる時間を指定し且つポイント値を前記応答に関連させることを可能にするイベント規定ツール；並びに
記憶されるデータ、前記データがいつ記憶されるかについてのスケジューリング、及び前記データが記憶される場所を規定するデータカプセル化ツール；
から構成されることを特徴とするシステム。
【請求項１５】
情報を視覚化する放送コンテンツを提供する方法であって：
前記放送コンテンツの表示に結び付けられるイベントへの応答に対して視聴者がポイントを得るポイント特典方法を実施する段階；
前記視聴者からの応答を受信する段階；
前記放送コンテンツの前記表示への前記視聴者が提供する応答の数を演算する段階；並びに
前記視聴者の数と前記視聴者のデモグラフィック特徴を含む報告を作成する段階；
から構成される方法。